(57)【特許請求の範囲】
【請求項１】
サンバイザーに取付けられるミラーをはめ込み固定したミラー枠体と、そのミラー枠体の前面を開閉することのできるカバー部材とからなるカバー付きバニティミラーの開閉構造であって、
前記ミラー枠体と前記カバー部材の間には、前記カバー部材を前記ミラー枠体に対して開閉動可能に連結する連結部と、前記カバー部材を所定の方向に付勢する当接片と凸部とを有しており、
前記連結部は、前記カバー部材から前記ミラー枠体に向けて突出形成され前記ミラー枠体に回動自在に支持されるアームを有し、
前記当接片は、前記カバー部材の前記アームの近傍にて片持ち梁状に形成された弾性変位可能な構成になっており、前記凸部は、前記ミラー枠体に形成されており、前記カバー部材を開状態にしたときに前記凸部が前記当接片と前記アームとの間に位置する構成になっており、
前記凸部は、前記カバー部材を開状態にしたときに前記当接片の当接面が近接する開保持面と、前記カバー部材を閉状態にしたときに前記当接面が近接する閉保持面と、開閉の中間状態にあるときに前記当接面に当接して前記当接片を撓ませる前記開保持面及び閉保持面に隣接するコーナー部とを有し、前記凸部が前記中間状態において前記当接片と前記アームとの間に位置して前記コーナー部によって前記当接片を弾性的に変形させ、その弾性力にて前記カバー部材を所定の方向に回動させ得るように構成したことを特徴とするカバー付きバニティミラーの開閉構造。
【請求項２】
サンバイザーに取付けられるミラーをはめ込み固定したミラー枠体と、そのミラー枠体の前面を開閉することのできるカバー部材とからなるカバー付きバニティミラーの開閉構造であって、
前記ミラー枠体と前記カバー部材の間には、前記カバー部材を前記ミラー枠体に対して開閉動可能に連結する連結部と、前記カバー部材を所定の方向に付勢する当接片と凸部とを有しており、
前記連結部は、前記カバー部材から前記ミラー枠体に向けて突出形成され前記ミラー枠体に回動自在に支持されるアームを有し、
前記凸部は、前記カバー部材の前記アームの近傍にて形成されており、前記当接片は、前記ミラー枠体に片持ち梁状に形成された弾性変位可能な構成になっており、前記カバー部材を開状態にしたときに前記当接片が前記アームと前記凸部との間に位置する構成になっており、
前記凸部は、前記カバー部材を開状態にしたときに前記当接片の当接面が近接する開保持面と、前記カバー部材を閉状態にしたときに前記当接面が近接する閉保持面と、開閉の中間状態にあるときに前記当接面に当接して前記当接片を撓ませる前記開保持面及び閉保持面に隣接するコーナー部とを有し、前記弾性片が前記中間状態において前記凸部と前記アームとの間に位置して前記凸部のコーナー部にて弾性的に変形され、その弾性力にて前記カバー部材を所定の方向に回動させ得るように構成したことを特徴とするカバー付きバニティミラーの開閉構造。
【発明の詳細な説明】
【０００１】
【発明の属する技術分野】
本発明は、車両用サンバイザーに付設されるカバー付きバニティミラーの開閉構造に関する。
【０００２】
【従来の技術】
従来、この種の車両用サンバイザーに付設されたバニティミラーのカバーの開閉構造としては、例えば図６に示すものが知られている。このバニティミラー１はミラー２をはめ込み固定する合成樹脂製のミラー枠体３とこのミラー枠体３の前面を開閉するカバー４と、同カバー４を開閉保持するための金属製の板ばね５とより構成され、このミラー枠体３の上部側（図示左方）にはカバー４の作動基部４ａと板ばね５を納める空間部６が形成され、この空間部６の左右にはカバー４の作動基部４ａを回動可能に支持する支持部３ａが設けられて、カバー４は同支持部３ａ間に取付けられている。
【０００３】
このカバー４はミラー枠体３の前面側を遮蔽可能な平板状に形成され、その基部には作動基部４ａが形成されている。この作動基部４ａの左右には支持部３ａに回動可能に支承されるカバーピン７が突設され、同作動基部４ａの長手方向には所定の角度で一方に開保持面８ａと他方に閉保持面８ｂを有する断面略山形状の凸部８が形成されている。また、板ばね５は略Ｖ字形状に形成されて空間部６に納められて、カバー４を上方（図示左方）へ回動すると凸部８の開保持面８ａが板ばね５の片５ａに当接されその弾性により上部保持され、また、閉じ状態で閉保持面８ｂが片５ａに当接されて閉じ方向へ回動保持するように設けられている。なお、図６（ａ）が閉じ状態、（ｂ）が半開き（中間）状態、（ｃ）が開状態である。
【０００４】
【発明が解決しようとする課題】
しかしながら、この従来のバニティミラーの構成においてはカバー４を開状態と閉状態とに保持する板ばね５の製造工程が必要であり、また、板ばね５の組付け工程を必要とするため、部品点数が増すとともに、製作工数が増すことから生産性が悪いという問題点があった。
本発明は、上記従来の問題点を解決するためになされたもので、ミラー枠体とカバーとの組付け構造において、その構造形状によりカバーを開状態と閉状態とに位置保持できて、部品点数を減らし、製作工数を削減することのできるカバー付きバニティミラーの開閉構造を提供することを目的とするものである。
【０００５】
【課題を解決するための手段】
この課題を解決するために、特許請求の範囲の各請求項に記載したとおりのカバー付きバニティミラーの開閉構造を創作した。
【０００６】
したがって、ミラーの開時にはカバー部材に形成された当接片の当接面が開保持面に近接し、ミラーの閉時にはその当接面が閉保持面に近接する構成とされているので、カバー部材を開状態または閉状態に位置保持できる。そして、ミラーが半開き（中間）状態にあるときには、ミラー枠体に形成されたコーナー部が前記当接面に当接して当接片を撓ませる結果、その当接片の弾性力によりカバー部材を所定の方向に回動させることが可能となる。
【０００７】
【発明の実施の形態】
次に、本発明の実施形態を図面に基づいて説明する。
図１はカバー付きバニティミラーを開状態にした斜視図、図２は閉状態での正面図、図３はカバー部材を取外した状態の斜視図、図４はカバー部材連結部を拡大して示す分解斜視図である。図１〜図４に示すように、カバー付きバニティミラー１１は従来と同様に合成樹脂材を主体に形成され、大別すると、ミラー１２と、ミラー枠体１３と、カバー部材１４とよりなる。
【０００８】
前記ミラー枠体１３は略方形状に形成されるとともに、同ミラー枠体１３にはミラー１２をはめ込み可能とする略額縁状のはめ込み枠１３ａが一体に形成されて、そこにミラー１２がはめ込み固定されたものである。また、前記カバー部材１４はミラー１２をはめ込んだはめ込み枠１３ａの前面を遮蔽可能な略方形平板状に形成され、次述する連結部を介してミラー枠体１３に開閉動可能な状態で連結されるようになっている。
【０００９】
次に、ミラー枠体１３とカバー部材１４とを連結する連結部について説明する。カバー部材１４の基端側となる縁部の左右両側位置にはアーム１５がカバー部材１４の裏面から所定の角度傾斜した状態に突出形成され、それらのアーム１５の先端部にはカバー部材１４に対して平行かつ左右方向に延びる軸部１６が外向きに設けられている。さらに、カバー部材１４の基端側縁部の左右両側位置には軸部１６と略直角に伸びる切欠溝１４ａにより細幅の片持ち梁状の当接片１４ｂが形成されており、この当接片１４ｂはカバー部材１４の面外方向へ弾性変位したときにばね作用を発揮できるように適宜な曲げ剛性に設定されている。
【００１０】
他方、ミラー枠体１３には上縁部１３ｂの左右両側位置にカバー部材１４のアーム１５を回動自在に収容できる取付凹部１７が設けられ、この取付凹部１７の側壁部１８にカバー部材１４の軸部１６を上縁部１３ｂと平行かつ回動自在に支承する軸受部、具体的には図示形状の受け溝１８ａが形成されている。なお、図中、１８ｂは受け溝１８ａの正面入口を軸部１６をはめ込むときに一旦開かせてワンタッチで取付け可能にするためのスリットである。
【００１１】
そして、ミラー枠体１３には、本例では側壁部１８に隣接する取付凹部１７の上側位置に、詳しくは次述するが、受け溝１８ａに軸部１６をはめ込んだカバー部材１４が閉状態にあるときに当接片１４ｂを近接させるためのミラー面に略平行な閉保持面１９ａと、開状態にあるときに当接片１４ｂを近接させるためのミラー面に略直交する開保持面１９ｂとを有する凸部１９が設けてあり、この凸部１９には閉保持面１９ａと開保持面１９ｂとにより軸部１６の軸線（左右）方向に延びるコーナー部１９ｃが形成されている。
【００１２】
図５に示すように、アーム１５は当接片１４ｂの基端部近傍から当接面１４ｃに対して鋭角をなすように延びていて、軸部１６から当接面１４ｃに垂線（図示省略）を下ろして考えると、カバー部材１４が閉状態に近いときにはコーナー部１９ｃと当接面１４ｃが垂線の足より当接片１４ｂの先端側で接触する一方、開状態に近いときにはその接触位置（接点）が垂線の足より当接片１４ｂの基端側に位置するようになっている。
なお図５において、カバー付きバニティミラー１１のカバー部材１４がミラー１２を遮蔽する閉状態にあるときが（ａ）に、半開き（中間）状態が（ｂ）に、開状態が（ｃ）に示されている。
【００１３】
次に、カバー付きバニティミラー１１の開閉構造の作用について図５を参照して説明する。
すなわち、同図（ａ）に示すように、カバー部材１４が閉状態にあるときは、ミラー枠体１３側の閉保持面１９ａとカバー部材１４側の当接片１４ｂの当接面１４ｃとが近接しており、カバー部材１４はその閉状態を維持している。
一方、同図（ｃ）に示すように、カバー部材１４が上方に回動した開状態にあるときは、当接片１４ｂはミラー枠体１３側の開保持面１９ｂと近接しており、カバー部材１４はその閉状態を維持している。
【００１４】
そして、同図（ｂ）に示すように、半開き（中間）状態にあるときには、ミラー枠体１３側のコーナー部１９ｃが当接面１４ｃを押して当接片１４ｂを撓ませており、カバー部材１４の開き角度に応じてコーナー部１９ｃの当接位置が相対的に移動する。この結果、カバー部材１４には、所定の開き角度（中立位置）の前後で、当接片１４ｂの弾性力による軸部１６回りのトルクの方向が切り替わるように作用する。
【００１５】
今、カバー部材１４を同図（ａ）から（ｂ）に回動させると当接片１４ｂの弾性力によりカバー部材１４を閉じさせようとする力がかかる。さらに回動させると当接片１４ｂが撓んだ状態のままでコーナー部１９ｃに対して滑り、中立位置を過ぎると今度はカバー部材１４を開かせようとする力に切り替わる。そして、カバー部材１４は同図（ｃ）に示す状態まで軽く回動し、同時に当接片１４ｂは弾性復元している。
なお、この状態からカバー部材１４を閉じる場合については上記とほぼ同様であるので説明を省略する。
【００１６】
すなわち、ミラー枠体１３とカバー部材１４の間には、図４に示すようにカバー部材１４をミラー枠体１３に対して開閉動可能に連結する連結部と、カバー部材１４を所定の方向に付勢する当接片１４ｂと凸部１９とを有しており、連結部は、カバー部材１４からミラー枠体１３に向けて突出形成されミラー枠体１３に回動自在に支持されるアーム１５を有している。そして当接片１４ｂは、カバー部材１４のアーム１５の近傍にて片持ち梁状に形成された弾性変位可能な構成になっており、凸部１９は、ミラー枠体１３に形成されており、カバー部材１４を開状態にしたときに凸部１９が当接片１４ｂとアーム１５との間に位置する構成になっている（図５参照）。
凸部１９は、図５に示すようにカバー部材１４を開状態にしたときに当接片１４ｂの当接面１４ｃが近接する開保持面１９ｂと、カバー部材１４を閉状態にしたときに当接面１４ｃが近接する閉保持面１９ａと、開閉の中間状態にあるときに当接面１４ｃに当接して当接片１４ｂを撓ませる開保持面１９ｂ及び閉保持面１９ａに隣接するコーナー部１９ｃとを有し、凸部１９が中間状態において当接片１４ｂとアーム１５との間に位置してコーナー部１９ｃによって当接片１４ｂを弾性的に変形させ、その弾性力にてカバー部材１４を所定の方向に回動させ得るように構成している。
したがって上記の開閉構造においては、従来のように板ばねを使用せずとも、半開き状態のカバー部材１４を開き方向または閉じ方向に回動させた後保持することができる。また、連結部の構成が比較的簡素でカバー部材１４の取付けがワンタッチ式にできる。
【００１７】
なお、上述の実施形態とは逆に、ミラー枠体１３に当接片を設け、カバー部材１４に閉保持面と開保持面とコーナー部とを設けるようにすることもできる。
すなわちミラー枠体とカバー部材の間には、カバー部材をミラー枠体に対して開閉動可能に連結する連結部と、カバー部材を所定の方向に付勢する当接片と凸部とを有しており、連結部は、カバー部材からミラー枠体に向けて突出形成されミラー枠体に回動自在に支持されるアームを有している。そして凸部は、カバー部材のアームの近傍にて形成されており、当接片は、ミラー枠体に片持ち梁状に形成された弾性変位可能な構成になっており、カバー部材を開状態にしたときに当接片がアームと凸部との間に位置する構成になっている。
凸部は、カバー部材を開状態にしたときに当接片の当接面が近接する開保持面と、カバー部材を閉状態にしたときに当接面が近接する閉保持面と、開閉の中間状態にあるときに当接面に当接して当接片を撓ませる開保持面及び閉保持面に隣接するコーナー部とを有し、弾性片が中間状態において凸部とアームとの間に位置して凸部のコーナー部にて弾性的に変形され、その弾性力にてカバー部材を所定の方向に回動させ得るように構成している。
【００１８】
【発明の効果】
以上説明したように、本発明のカバー付きバニティミラーの開閉構造は、従来の板ばねを省略できて部品点数を削減することができるとともに、部品管理工数および製作工数を低減することのできて生産能率を向上することができる。
【図面の簡単な説明】
【図１】カバー付きバニティミラーを開状態にした斜視図である。
【図２】カバー付きバニティミラーを閉状態にした正面図である。
【図３】カバー付きバニティミラーのカバー部材を取り外した斜視図である。
【図４】カバー付きバニティミラーの連結部を拡大して示す分解斜視図である。
【図５】カバー付きバニティミラーの開閉構造の作用を説明する図である。
【図６】従来のバニティミラー及びその開閉動作を説明する図である。
【符号の説明】
１１  カバー付きバニティミラー
１２  ミラー
１３  ミラー枠体
１４  カバー部材
１４ｂ  当接片
１４ｃ  当接面
１５  アーム
１６  軸部
１８ａ  受け溝
１９  凸部
１９ａ  閉保持面
１９ｂ  開保持面
１９ｃ  コーナー部
【図１】
0003708193.tif 000002
【図２】
0003708193.tif 000003
【図３】
0003708193.tif 000004
【図４】
0003708193.tif 000005
【図５】
0003708193.tif 000006
【図６】
0003708193.tif 000007